(57)【特許請求の範囲】
【請求項１】
側板と、
この側板に一体形成して操作者が握持可能なグリップと、
このグリップに対して回動操作可能な操作レバーと、
ラベル連続体の用紙ホルダーと、
前記操作レバーの先端部に取り付けた印字器フレーム、およびこの印字器フレームに組み込んでいるとともに各列において互いに係合している見出し輪および活字輪を備えた印字器と、を有するとともに、
前記印字器による前記ラベル連続体への印字を行う携帯式ラベル印字貼付け機の印字器見出し数字カウントアップ装置であって、
前記グリップおよび前記操作レバーの握持による前記印字器の印字動作の稼働軌跡内において第一桁の前記見出し輪に対向するようにカウントアップ機構を設け、
このカウントアップ機構は、
前記印字器の前記稼動軌跡から退避可能にこれを前記側板に設け、
前記印字器の前記ラベル連続体への印字を行うその下降動作においては、前記第一桁の前記見出し輪を回転することがないとともに、
前記印字器の上昇動作において、前記見出し数字を順次一数字分だけ増やしてゆくように、前記第一桁の前記見出し輪を回転可能であることを特徴とする携帯式ラベル印字貼付け機の印字器見出し数字カウントアップ装置。
【請求項２】
前記カウントアップ機構は、
前記側板に取り付けた支持部材と、
この支持部材に対して回動可能であるとともに、前記見出し輪を回転させない第１の姿勢、および前記見出し輪を回転可能とする第２の姿勢を取るようにその姿勢を可変可能な係合突起と、を有することを特徴とする請求項１記載の携帯式ラベル印字貼付け機の印字器見出し数字カウントアップ装置。
【請求項３】
前記支持部材および前記係合突起の間に、前記係合突起を前記第２の姿勢方向に付勢可能な突起付勢部材を設けたことを特徴とする請求項２記載の携帯式ラベル印字貼付け機の印字器見出し数字カウントアップ装置。
【請求項４】
前記支持部材は、前記係合突起を前記第２の姿勢に停止可能な停止片を有することを特徴とする請求項２または３記載の携帯式ラベル印字貼付け機の印字器見出し数字カウントアップ装置。
【請求項５】
前記係合突起は、前記見出し輪の円周部に等角度間隔で形成した前記見出し数字の数字形成凸部それぞれの間の係合凹部に係脱可能であることを特徴とする請求項２ないし４のいずれかに記載の携帯式ラベル印字貼付け機の印字器見出し数字カウントアップ装置。
【請求項６】
前記印字器は、
前記印字器フレームが前記第一桁の前記見出し輪に対向するそのフレーム内壁面に桁上げ下げ用突出台部を形成し、
前記第一桁の前記見出し輪の軸方向に貫通する貫通軸室内には、前記第一桁の前記見出し輪の回転にともなってこの桁上げ下げ用突出台部に対向可能な連回り連結機構を設けるとともに、
この連回り連結機構に対向可能なように第二桁の前記見出し輪の側面に周方向連結凹部を設け、
この周方向連結凹部が前記連回り連結機構と連結した状態においてのみ、前記第一桁の前記見出し輪と前記第二桁の前記見出し輪とを一体的に連れ回り可能としていることを特徴とする請求項１ないし５のいずれかに記載の携帯式ラベル印字貼付け機の印字器見出し数字カウントアップ装置。
【請求項７】
側板と、
この側板に一体形成して操作者が握持可能なグリップと、
このグリップに対して回動操作可能な操作レバーと、
ラベル連続体の用紙ホルダーと、
前記操作レバーの先端部に取り付けた印字器フレーム、およびこの印字器フレームに組み込んでいるとともに各列において互いに係合している見出し輪および活字輪を備えた印字器と、を有するとともに、
前記印字器による前記ラベル連続体への印字を行う携帯式ラベル印字貼付け機の印字器見出し数字カウントアップ方法であって、
前記グリップおよび前記操作レバーの握持による前記印字器の印字動作の稼働軌跡内において第一桁の前記見出し輪に対向し、前記印字器の前記稼動軌跡から退避可能に前記側板に設けたカウントアップ機構により、
前記印字器の前記ラベル連続体への印字を行うその下降動作においては、前記第一桁の前記見出し輪を回転させず、
前記印字器の上昇動作において、前記第一桁の前記見出し輪を回転させ、その前記見出し数字を順次一数字分だけ増やしてゆくことを特徴とする携帯式ラベル印字貼付け機の印字器見出し数字カウントアップ方法。
【発明の詳細な説明】
【技術分野】
【０００１】
本発明は携帯式ラベル印字貼付け機の印字器見出し数字カウントアップ装置および印字器見出し数字カウントアップ方法にかかるもので、とくに携帯式ラベル印字貼付け機に装備して連続番号を印字するための携帯式ラベル印字貼付け機の印字器見出し数字カウントアップ装置および印字器見出し数字カウントアップ方法に関するものである。
【背景技術】
【０００２】
従来からの携帯式ラベル印字貼付け機およびその印字器について、図９ないし図１１にもとづき概説する。
図９は、携帯式ラベル印字貼付け機１の概略側面図であって、携帯式ラベル印字貼付け機１は、左右（紙面表裏）一対の側板２と、側板２に一体形成して操作者が握持可能なグリップ３と、グリップ３に対して回動操作可能な操作レバー４と、グリップ３および操作レバー４の間に設けた圧縮スプリング５と、ラベル連続体６の用紙ホルダー７と、印字器８と、インキローラー９と、貼付けローラー１０と、を有する。
【０００３】
ラベル連続体６は、帯状の台紙１１および台紙１１の表面に仮着した複数枚のラベル片１２を有し、これをロール状に巻いて用紙ホルダー７に保持する。
【０００４】
このような構成の携帯式ラベル印字貼付け機１において、操作レバー４およびグリップ３の操作（圧縮スプリング５の付勢力に抗した握持操作およびその解放操作）にともなって、印字器８の活字１３にインキローラー９によりインキを塗布し、移送機構（図示せず）により用紙ホルダー７から印字器８方向にラベル連続体６を帯状に繰り出し、剥離機構（図示せず）において台紙１１からラベル片１２を剥離し、貼付けローラー１０によりラベル片１２を被貼付け体（図示せず）に貼り付け可能とする。
【０００５】
図１０は、印字器８の平面図、図１１は、見出し輪１５および活字輪１６の概略側面図であって、印字器８は、印字器フレーム１４と、印字器フレーム１４に組み込んでいる複数列（図１０に示した例では、４列）において互いに係合している見出し輪１５および活字輪１６と、選択摘み１７と、を有する。
さらに、印字器フレーム１４の頂部に形成した選択窓１８において見出し輪１５の見出し数字１９を選択可能である。
【０００６】
具体的には、見出し輪１５の中心軸孔２０には、選択摘み１７の選択軸２１を軸方向に摺動可能に嵌め込んで、任意の列の見出し輪１５を選択可能としている。
すなわち、選択摘み１７の選択軸２１の先端部に選択突起２２を設け、選択摘み１７を正逆方向に回転することにより、選択突起２２が見出し輪１５の所望の見出し数字１９を選択し、この列においてこの見出し数字１９に対応する活字輪１６の活字１３を選択可能としている。
かくして、見出し輪１５の見出し数字１９の選択により、活字輪１６の上記活字１３を選択し、印字器８の最下端面にインキローラー９に対向するように活字１３を位置させることができる。
【０００７】
上述のように、必要な桁数の数字や記号などを印字可能としているが、とくに当該携帯式ラベル印字貼付け機１によって連続番号（いわゆる、連番）を印字する場合には、選択摘み１７により、たとえば見出し数字１９の「１」を選択して活字１３の「１」をセットした状態で、必要な枚数のラベル片１２に印字し、つぎに見出し数字１９の「２」を選択して活字１３の「２」をセットした状態で、ラベル片１２に必要な枚数を印字することを繰り返して行う。
【０００８】
しかしながら、一桁から二桁にわたる連番を印字しようとする際には、選択摘み１７を中心軸孔２０の軸方向に移動して、必要な桁（印字列）を選択し、その桁において選択摘み１７を回転し、選択突起２２による見出し輪１５の見出し数字１９を選択決定する必要がある。
このような操作の途中で、とくに一の位から十の位に移行する際に選択摘み１７を桁上げする操作を忘れるというミスが発生しかねないという問題がある。
【０００９】
さらに、見出し数字１９の選択のために選択摘み１７をそのつど、ある列で回転操作したり、桁方向（選択軸２１の軸方向）に移動させる必要があるという作業の手間がかかるという問題がある。
【先行技術文献】
【特許文献】
【００１０】
【特許文献１】特開平１０−１４７０４７号公報
【発明の概要】
【発明が解決しようとする課題】
【００１１】
本発明は以上のような諸問題にかんがみなされたもので、とくに連続番号を印字する際に便利な携帯式ラベル印字貼付け機の印字器見出し数字カウントアップ装置および印字器見出し数字カウントアップ方法を提供することを課題とする。
【００１２】
また本発明は、連続番号の見出し数字を順次カウントアップしてゆく際に、作業者が選択摘みを用いて見出し輪の回転操作を行う必要がないようにした携帯式ラベル印字貼付け機の印字器見出し数字カウントアップ装置および印字器見出し数字カウントアップ方法を提供することを課題とする。
【００１３】
また本発明は、グリップおよび操作レバーの握持およびその解放動作を行うことにより、見出し数字を順次一数字ずつ増やしてゆくことができるようにした携帯式ラベル印字貼付け機の印字器見出し数字カウントアップ装置および印字器見出し数字カウントアップ方法を提供することを課題とする。
【課題を解決するための手段】
【００１４】
すなわち本発明は、操作レバーによる印字器の下降および上昇動作に合わせて印字器における見出し輪を一数字ずつ回転切り替えすることに着目したもので、第一の発明は、側板と、この側板に一体形成して操作者が握持可能なグリップと、このグリップに対して回動操作可能な操作レバーと、ラベル連続体の用紙ホルダーと、上記操作レバーの先端部に取り付けた印字器フレーム、およびこの印字器フレームに組み込んでいるとともに各列において互いに係合している見出し輪および活字輪を備えた印字器と、を有するとともに、上記印字器による上記ラベル連続体への印字を行う携帯式ラベル印字貼付け機の印字器見出し数字カウントアップ装置であって、上記グリップおよび上記操作レバーの握持による上記印字器の印字動作の稼働軌跡内において第一桁の上記見出し輪に対向するようにカウントアップ機構を設け、このカウントアップ機構は、上記印字器の上記ラベル連続体への印字を行うその下降動作においては、上記第一桁の上記見出し輪を回転することがないとともに、上記印字器の上昇動作において、上記見出し数字を順次一数字分だけ増やしてゆくように、上記第一桁の上記見出し輪を回転可能であることを特徴とする携帯式ラベル印字貼付け機の印字器見出し数字カウントアップ装置である。
【００１５】
第二の発明は、側板と、この側板に一体形成して操作者が握持可能なグリップと、このグリップに対して回動操作可能な操作レバーと、ラベル連続体の用紙ホルダーと、上記操作レバーの先端部に取り付けた印字器フレーム、およびこの印字器フレームに組み込んでいるとともに各列において互いに係合している見出し輪および活字輪を備えた印字器と、を有するとともに、上記印字器による上記ラベル連続体への印字を行う携帯式ラベル印字貼付け機の印字器見出し数字カウントアップ方法であって、上記グリップおよび上記操作レバーの握持による上記印字器の印字動作の稼働軌跡内において第一桁の上記見出し輪に対向するように設けたカウントアップ機構により、上記印字器の上記ラベル連続体への印字を行うその下降動作においては、上記第一桁の上記見出し輪を回転させず、上記印字器の上昇動作において、上記第一桁の上記見出し輪を回転させ、その上記見出し数字を順次一数字分だけ増やしてゆくことを特徴とする携帯式ラベル印字貼付け機の印字器見出し数字カウントアップ方法である。
【００１６】
上記カウントアップ機構は、これを上記側板に固定して設けることができる。
【００１７】
上記カウントアップ機構は、上記印字器の上記稼働軌跡から退避可能にこれを上記側板に設けることができる。
【００１８】
上記カウントアップ機構は、上記側板に取り付けた支持部材と、この支持部材に対して回動可能であるとともに、上記見出し輪を回転させない第１の姿勢、および上記見出し輪を回転可能とする第２の姿勢を取るようにその姿勢を可変可能な係合突起と、を有することができる。
【００１９】
上記支持部材および上記係合突起の間に、上記係合突起を上記第２の姿勢方向に付勢可能な突起付勢部材を設けることができる。
【００２０】
上記支持部材は、上記係合突起を上記第２の姿勢に停止可能な停止片を有することができる。
【００２１】
上記係合突起は、上記見出し輪の円周部に等角度間隔で形成した上記見出し数字の数字形成凸部それぞれの間の係合凹部に係脱可能であることができる。
【００２２】
上記印字器は、上記印字器フレームが上記第一桁の上記見出し輪に対向するそのフレーム内壁面に桁上げ下げ用突出台部を形成し、上記第一桁の上記見出し輪の軸方向に貫通する貫通軸室内には、上記第一桁の上記見出し輪の回転にともなってこの桁上げ下げ用突出台部に対向可能な連回り連結機構を設けるとともに、この連回り連結機構に対向可能なように第二桁の上記見出し輪の側面に周方向連結凹部を設け、この周方向連結凹部が上記連回り連結機構と連結した状態においてのみ、上記第一桁の上記見出し輪と上記第二桁の上記見出し輪とを一体的に連れ回り可能としていることができる。
【発明の効果】
【００２３】
本発明による携帯式ラベル印字貼付け機の印字器見出し数字カウントアップ装置および印字器見出し数字カウントアップ方法においては、グリップおよび操作レバーの握持による印字器の印字動作の稼働軌跡内において設けたカウントアップ機構により、印字器の上昇動作において、見出し数字を順次一数字分だけ増やしてゆくように、第一桁の見出し輪を回転可能としたので、印字器による印字動作のみで自動的に見出し輪を回転操作することが可能となり、選択摘みを操作する必要がなく、作業性を改善するとともに、見出し数字の切替えミスを回避可能である。
【００２４】
とくに第一の発明の携帯式ラベル印字貼付け機の印字器見出し数字カウントアップ装置によれば、印字機の稼働軌跡に対向してカウントアップ機構を設けたので、操作レバーによる印字器の下降および上昇操作のみで、見出し輪の見出し数字を一数字ずつカウントアップすることができ、選択摘みを用いる必要がなく、見出し数字の切替えセットを作業性良好に行うことができる。
【００２５】
とくに第二の発明の携帯式ラベル印字貼付け機の印字器見出し数字カウントアップ方法によれば、印字機の稼働軌跡に対向してカウントアップ機構を設けたので、操作レバーによる印字器の下降および上昇操作のみで、見出し輪の見出し数字を一数字ずつカウントアップすることができ、選択摘みによる見出し数字の回転選択を行う必要がない。
【図面の簡単な説明】
【００２６】
【図１】本発明の実施例による印字器見出し数字カウントアップ装置３１を備えた携帯式ラベル印字貼付け機３０の概略側面図である。
【図２】同、カウントアップ機構３２の要部側面図であって、図２（１）は、グリップ３および操作レバー４が操作されずに係合突起３５と印字器３３とが干渉していない状態の概略側面図、図２（２）は、グリップ３および操作レバー４が握持されて、係合突起３５に印字器３３（第一桁の見出し輪４０）が当接している状態の概略側面図、図２（３）は、グリップ３および操作レバー４の握持が解放されて印字器３３が元位置に復帰してゆく途中の概略側面図である。
【図３】同、印字器３３の概略断面図である。
【図４】同、印字器３３における第一桁の見出し輪４０の斜視図である。
【図５】同、印字器フレーム１４に形成した桁上げ下げ用突出台部３９の説明図であって、図５（１）は、印字器フレーム１４を第一桁の見出し輪４０側から見た正面図、図５（２）は、印字器フレーム１４の側面図である。
【図６】同、連回り連結機構４１と桁上げ下げ用突出台部３９との相対位置関係を示す、第一桁の見出し輪４０側から見た正面図である。
【図７】同、第二桁の見出し輪４０Ａの、第一桁の見出し輪４０側から見た斜視図である。
【図８】同、印字器３３における桁上げ下げ用突出台部３９および連回り連結機構４１の動作を順次説明する断面図であって、図８（１）は、連回り連結機構４１が桁上げ下げ用突出台部３９および周方向連結凹部４２にともに係合していない状態の断面図、図８（２）は、連回り連結機構４１が桁上げ下げ用突出台部３９に係合した状態の断面図、図８（３）は、連回り連結機構４１が桁上げ下げ用突出台部３９および周方向連結凹部４２にともに係合した状態の断面図である。
【図９】従来からの携帯式ラベル印字貼付け機１の概略側面図である。
【図１０】同、印字器８の平面図である。
【図１１】同、見出し輪１５および活字輪１６の概略側面図である。
【発明を実施するための形態】
【００２７】
本発明は、グリップおよび操作レバーの握持による印字器の印字動作の稼働軌跡内において第一桁の見出し輪に対向するようにカウントアップ機構を設けたので、選択摘みによる見出し数字の切替え操作を不要として、作業性良好にラベル連続体の連続番号印字およびラベル片の貼付けを行うことが可能となる携帯式ラベル印字貼付け機の印字器見出し数字カウントアップ装置および印字器見出し数字カウントアップ方法を実現した。
【実施例】
【００２８】
つぎに本発明の実施例による携帯式ラベル印字貼付け機の印字器見出し数字カウントアップ装置および印字器見出し数字カウントアップ方法を図１ないし図８にもとづき説明する。ただし、図９ないし図１１と同様の部分には同一符号を付し、その詳述はこれを省略する。
図１は、携帯式ラベル印字貼付け機３０の概略側面図であって、携帯式ラベル印字貼付け機３０は、前述した携帯式ラベル印字貼付け機１と同様の構成ではあるが、上記実施例による印字器見出し数字カウントアップ装置３１を備えている点が異なる。
【００２９】
当該印字器見出し数字カウントアップ装置３１は、カウントアップ機構３２と、印字器３３と、を有する。
【００３０】
図２は、カウントアップ機構３２の要部側面図であって、カウントアップ機構３２は、側板２に取り付けた支持部材３４と、係合突起３５と、突起付勢部材３６と、を有する。
【００３１】
支持部材３４は、その先端部に突起回動軸３７および突起付勢部材３６を介して係合突起３５を回動可能に取り付けており、係合突起３５は支持部材３４に対して第１の姿勢および第２の姿勢に切替可能としている。
図２（１）は、前記グリップ３および操作レバー４が操作されずに係合突起３５と印字器３３とが干渉していない状態の概略側面図、図２（２）は、グリップ３および操作レバー４が握持されて、係合突起３５に印字器３３（第一桁の見出し輪４０、図５、後述）が当接している状態の概略側面図、図２（３）は、グリップ３および操作レバー４の握持が解放されて印字器３３が元位置に復帰してゆく途中の概略側面図である。
図２（２）、（３）に示すように、係合突起３５は、その姿勢を可変可能であって、上記第１の姿勢とは、係合突起３５に印字器３３（第一桁の見出し輪４０）が当接しても係合突起３５が見出し輪４０から図中、下方に逃げて見出し輪４０を回転させない姿勢（図２（２））であり、第２の姿勢とは、係合突起３５が見出し輪４０から逃げずに見出し輪４０を回転して見出し数字１９を一数字分だけカウントアップ可能とする姿勢（図２（３））である。
【００３２】
突起付勢部材３６は、たとえばねじりコイルスプリングであって、支持部材３４および係合突起３５の間にこれを設けるもので、係合突起３５を第２の姿勢方向に付勢可能である。
【００３３】
なお支持部材３４は、係合突起３５を第２の姿勢に停止可能な停止片３８をその先端部に有する。
【００３４】
係合突起３５は、図１に要部平面図として示すように、印字器３３における第一桁の見出し輪４０の円周部に等角度間隔で形成した見出し数字１９の数字形成凸部１９Ａそれぞれの間の係合凹部１９Ｂに係脱可能である。
すなわちカウントアップ機構３２における係合突起３５は、グリップ３および操作レバー４の握持による印字器３３の印字動作の稼働軌跡Ｌ内において第一桁の見出し輪４０に対向するようにこれを設けている。
具体的には、カウントアップ機構３２は、印字器３３のラベル連続体６への印字を行うその下降動作においては、第一桁の見出し輪４０を回転することがないとともに（図２（２）参照）、印字器３３の上昇動作において、見出し数字１９を順次一数字分だけ増やしてゆくように、第一桁の見出し輪４０を回転可能である（図２（３）参照）。
【００３５】
図３は、上記印字器３３の概略断面図、図４は、印字器３３における第一桁の見出し輪４０の斜視図であって、印字器３３は、前記印字器フレーム１４と、桁上げ下げ用突出台部３９と、見出し輪４０および前記活字輪１６と、前記選択摘み１７と、第一桁（一の位）の見出し輪４０に設けた連回り連結機構４１と、を有するとともに、第二桁（十の位）の見出し輪４０Ａに周方向連結凹部４２（図７も参照）を形成してある。
【００３６】
図５は、印字器フレーム１４に形成した桁上げ下げ用突出台部３９の説明図であって、図５（１）は、印字器フレーム１４を第一桁の見出し輪４０側から見た正面図、図５（２）は、印字器フレーム１４の側面図である。
桁上げ下げ用突出台部３９は、印字器フレーム１４が第一桁の見出し輪４０に対向するそのフレーム内壁面１４Ａに形成しているもので、見出し輪４０の円周部に設けている見出し数字１９の「９」から「０」に移行する側面部位に対向するフレーム内壁面１４Ａに所定長さの円弧状にこれを設けている。
この円弧の長さとしては、見出し数字１９の「０」と「９」との間から、同、「０」と「１」との間にわたる範囲内が望ましい。
【００３７】
とくに図３に示すように、見出し輪４０には、前記中心軸孔２０より半径方向外縁周側においてその軸方向に貫通する貫通軸室４３を形成してあり、選択摘み１７による見出し輪４０の選択回転にともなって桁上げ下げ用突出台部３９に対向可能なように、貫通軸室４３内に上記連回り連結機構４１を設けている。
ただし、本発明においては、グリップ３および操作レバー４の握持による印字器３３の印字動作の稼働軌跡Ｌ内において第一桁の見出し輪４０に対向するように設けたカウントアップ機構３２により、印字器３３のラベル連続体６への印字を行うその下降動作においては、第一桁の見出し輪４０を回転させず、印字器３３の上昇動作において、第一桁の見出し輪４０を回転させ、その見出し数字１９を順次一数字分だけ増やしてゆくことができるようにしてあり、選択摘み１７による第一桁の見出し輪４０の選択回転を不要としている。
【００３８】
図６は、連回り連結機構４１と桁上げ下げ用突出台部３９との相対位置関係を示す、第一桁の見出し輪４０側から見た正面図であって、見出し輪４０の円周部に設けている見出し数字１９の「９」から「０」に移行する側面部位の範囲内で、連回り連結機構４１が桁上げ下げ用突出台部３９に対向可能である。
また、既述のように、第一桁の見出し輪４０の円周部には、見出し数字１９の数字形成凸部１９Ａおよび数字形成凸部１９Ａそれぞれの間の係合凹部１９Ｂを等角度間隔で形成してある。
【００３９】
とくに図３に示すように、連回り連結機構４１は、第１の往復動軸４４と、第２の往復動軸４５と、第１の付勢部材４６と、第２の付勢部材４７と、を有する。
【００４０】
第１の往復動軸４４は、貫通軸室４３内において、第一桁の見出し輪４０のフレーム側側面に位置しており、第一桁の見出し輪４０および第二桁の見出し輪４０Ａの桁上げ下げ移行時に、この第１の往復動軸４４が桁上げ下げ用突出台部３９に対向可能である。
第１の往復動軸４４は、桁上げ下げ用突出台部３９に当接する大円板状の当接端面部材４８と、貫通軸室４３内において当接端面部材４８の中心軸であってその内方に位置する第１の軸部４９と、第１の軸部４９の端部に位置する小円板状の第１の軸係合部５０と、を有する。
【００４１】
第２の往復動軸４５は、貫通軸室４３内において、第１の往復動軸４４の反対側すなわち、第一桁の見出し輪４０の第二桁側側面に位置している。
第２の往復動軸４５は、第二桁の見出し輪４０Ａにおける上記周方向連結凹部４２に係脱可能な連結端面部材５１と、第２の軸部５２と、第１の軸係合部５０に係合する第２の軸係合部５３と、を有し、第２の軸部５２が連結端面部材５１を第２の軸係合部５３と一体化し、第２の往復動軸４５全体を筒状の部材としている。
【００４２】
第１の往復動軸４４および第２の往復動軸４５は、それぞれの内方端部（第１の軸係合部５０、第２の軸係合部５３）が、互いからの離反方向において互いに係合しており、したがって、第１の往復動軸４４および第２の往復動軸４５は、互いに往復動可能に係合するものである。
なお、第２の軸部５２の外周面には、係合フランジ５４を突出形成している。
【００４３】
第１の付勢部材４６は、第１の往復動軸４４の第２の軸係合部５３と、第２の往復動軸４５の内面側と、の間に設けた圧縮スプリングであり、第１の往復動軸４４が、桁上げ下げ用突出台部３９と係合するにともなって図３中、右方向から左方向に第２の往復動軸４５に接近するように移動してゆく際に、第２の往復動軸４５を左方向に付勢可能として、第２の往復動軸４５の連結端面部材５１を第二桁の見出し輪４０Ａの周方向連結凹部４２に係合可能としている。
【００４４】
第２の付勢部材４７は、第１の往復動軸４４と、第２の往復動軸４５における第２の軸部５２の係合フランジ５４が貫通軸室４３内において係合停止する軸停止用突条５５と、の間に設けた圧縮スプリングである。
第２の往復動軸４５の連結端面部材５１が第二桁の見出し輪４０Ａの周方向連結凹部４２との係合を解除されて、第二桁の見出し輪４０Ａの側面に押し戻される結果、係合フランジ５４が軸停止用突条５５に係合して停止したのちに、この第２の付勢部材４７は、第１の付勢部材４６と協働して、第１の往復動軸４４の当接端面部材４８を図３中、左方向から右方向に桁上げ下げ用突出台部３９に向かって復帰移動させるとともに、第１の軸係合部５０を第２の軸係合部５３に復帰係合させる。
【００４５】
図７は、第二桁の見出し輪４０Ａの、第一桁の見出し輪４０側から見た斜視図であって、周方向連結凹部４２は、連回り連結機構４１に対向して第二桁の見出し輪４０Ａの側面にこれを設けており、周方向連結凹部４２が連回り連結機構４１と連結した状態においてのみ、第一桁の見出し輪４０と第二桁の見出し輪４０Ａとを一体的に連れ回り可能としている。
周方向連結凹部４２は、第二桁の見出し輪４０Ａの、第一桁の見出し輪４０側の側面において、連回り連結機構４１に係脱するようにその複数個（一般的には、１０個）を等角度間隔で形成している。
なお、それぞれの周方向連結凹部４２は、第二桁の見出し輪４０Ａにおけるそれぞれの見出し数字１９の側面部位に位置している。
【００４６】
こうした構成の携帯式ラベル印字貼付け機３０および印字器見出し数字カウントアップ装置３１において、グリップ３および操作レバー４を握持すると、印字器３３によりラベル連続体６に印字が行われる。
さらに、グリップ３および操作レバー４の握持による印字器３３の印字動作の稼働軌跡Ｌ内において第一桁の見出し輪に対向するように設けたカウントアップ機構３２により、印字器３３のラベル連続体６への印字を行うその下降動作においては、第一桁の見出し輪４０を回転させず、印字器３３の上昇動作において、第一桁の見出し輪４０を回転させ、その見出し数字１９を順次一数字分だけ増やしてゆくことができる。
【００４７】
より具体的には、グリップ３および操作レバー４の握持にともなって、印字器３３はその稼働軌跡Ｌ上をカウントアップ機構３２およびラベル連続体６に向かって下降してゆくが、カウントアップ機構３２の係合突起３５は、第一桁の見出し輪４０における見出し数字１９の係合凹部１９Ｂに係合はしても、第一桁の見出し輪４０を回転することなく、図２（２）のように支持部材３４の突起回動軸３７まわりに時計方向に回動した状態（第１の姿勢）になるだけである。
なお、印字器３３がカウントアップ機構３２の部分を通り過ぎると、係合突起３５は突起付勢部材３６の付勢力により、図２（１）に示す元位置に復帰し、停止片３８に当接停止した状態に復帰する。
【００４８】
ついで、グリップ３および操作レバー４による握持操作の解放にともなって、前記圧縮スプリング５の付勢力により操作レバー４が元位置に復帰する途中において、カウントアップ機構３２の係合突起３５が第一桁の見出し輪４０における係合凹部１９Ｂに係合すると、図２（３）に示すように、係合凹部１９Ｂは係合突起３５に対して、図中、下方から上方への稼働軌跡Ｌ中を移動することになるので、停止片３８により回動移動を阻止されたままの係合突起３５が係合凹部１９Ｂに回動付勢力を付与することとなり、第一桁の見出し輪４０を一数字分だけ回転（カウントアップ）させることになる。
【００４９】
このようにして、グリップ３および操作レバー４の握持および解放操作を繰り返すことにより、第一桁の見出し輪４０が一数字分だけ回転して、その見出し数字１９を順次選択してゆくことになる。
【００５０】
しかして、印字器３３における第一桁（一の位）から第二桁（十の位）への桁上がりのときには、第一桁の見出し輪４０における連回り連結機構４１が桁上げ下げ用突出台部３９に当接し、連回り連結機構４１が周方向連結凹部４２に連結された状態においてのみ、第一桁の見出し輪４０と第二桁の見出し輪４０Ａとを一体的に連れ回りさせることにより、第一桁の見出し輪４０における見出し数字１９を選択してゆく操作だけで、第二桁への桁上げを行うことができる。
【００５１】
すなわち、図８は、印字器３３における桁上げ下げ用突出台部３９および連回り連結機構４１の動作を順次説明する断面図であって、図８（１）は、連回り連結機構４１が桁上げ下げ用突出台部３９および周方向連結凹部４２にともに係合していない状態の断面図、図８（２）は、連回り連結機構４１が桁上げ下げ用突出台部３９に係合した状態の断面図、図８（３）は、連回り連結機構４１が桁上げ下げ用突出台部３９および周方向連結凹部４２にともに係合した状態の断面図である。
図８（１）に示すように、たとえば、見出し輪４０の見出し数字１９の「０」から「１」、「２」、・・・と切り替わってゆき、稼働軌跡Ｌ上を上下動する印字器３３により前記ラベル片１２（図９）に印字してゆく間は、連回り連結機構４１に変化はない。
【００５２】
ついで、一の位の見出し数字１９の「９」から「１０」に移行する際に、すなわち、一の位が「９」から「０」に、第二桁（十の位）が「０」から「１」に移行する際には、図８（２）に示すように、連回り連結機構４１における第１の往復動軸４４の当接端面部材４８が印字器フレーム１４のフレーム内壁面１４Ａにおける桁上げ下げ用突出台部３９に当接して、第１の付勢部材４６および第２の付勢部材４７の付勢力に抗して当接端面部材４８を図中、左方向に第２の往復動軸４５の連結端面部材５１の方向に押し込む。
【００５３】
この当接端面部材４８の第２の往復動軸４５への押込み動作により、第１の付勢部材４６および第２の付勢部材４７が蓄力されるが、第２の往復動軸４５の連結端面部材５１が周方向連結凹部４２に対向して、連結端面部材５１が周方向連結凹部４２に没入係合するまでは、図８（２）の状態のままである。
【００５４】
図８（３）に示すように、選択摘み１７がさらに回転操作されて連結端面部材５１が周方向連結凹部４２に対向すると、第１の付勢部材４６の蓄力により連結端面部材５１が周方向連結凹部４２に没入係合し、選択摘み１７の回転操作による第一桁の見出し輪４０の回転とともに第二桁の見出し輪４０Ａが連れ回ることになり、見出し輪４０の一の位が「９」から「０」に、第二桁の見出し輪４０Ａの第二桁（十の位）が「０」から「１」に移行する結果、印字器３３の見出し窓１８内における見出し数字１９が二桁数字「１０」に切り替わることになる。
【００５５】
つぎの見出し数字１９が二桁数字「１１」になるときには、カウントアップ機構３２および印字器３３による第一桁の見出し輪４０のさらなる回転によって、連回り連結機構４１と桁上げ下げ用突出台部３９との係合が外れる結果、連回り連結機構４１が図８（１）の状態に復帰するので、すなわち、第２の往復動軸４５の連結端面部材５１が第二桁の見出し輪４０Ａの側面により第１の付勢部材４６の付勢力に抗して周方向連結凹部４２から第一桁の見出し輪４０内の貫通軸室４３内に戻り、係合フランジ５４が軸停止用突条５５に当接停止し、第１の付勢部材４６および第２の付勢部材４７の付勢力で第１の往復動軸４４が図８（１）の状態に復帰する。
したがって、グリップ３および操作レバー４による印字器３３の上下動による第一桁の見出し輪４０の回転操作によって連回り連結機構４１が桁上げ下げ用突出台部３９に係合当接することはなく、すなわち、第１の往復動軸４４が桁上げ下げ用突出台部３９に対向しないので、見出し数字１９が「１１」〜「１９」までは、連回り連結機構４１が動作することなく、選択摘み１７による見出し数字１９の順次選択動作を行うことができる。
【００５６】
さらに、見出し数字１９が「１９」から「２０」に切り替わる際には、上述の「９」から「１０」に切り替わる際の桁上げ下げ用突出台部３９、連回り連結機構４１および周方向連結凹部４２の連結動作および解除動作が繰り返され、以降の連番も同様に選択することができる。
【００５７】
かくして、第一桁（一の位）の見出し輪４０を印字器見出し数字カウントアップ装置３１による回転操作する動作および連回り連結機構４１の動作により、第二桁（十の位）の見出し輪４０Ａも、連続番号順に切り替えることができ、位の桁上げ操作を自動的に行って、ラベル片１２への印字用の連続番号の切替え操作を作業性よく行うことができる。
【００５８】
上述の実施例における印字器見出し数字カウントアップ装置３１では、そのカウントアップ機構３２は、これを側板２に固定して設けているが、本発明においてカウントアップ機構３２は、印字器３３の稼働軌跡Ｌから退避可能にこれを側板２に設けることもできる。
【００５９】
たとえば、支持部材３４を側板２との間に、支持部材の回動機構（図示せず）を設けることにより、支持部材３４を側板２に対して印字器３３の稼働軌跡Ｌから退避可能な姿勢に縦方向あるいは横方向に回動可能とするような任意の構成を採用することができる。
かくすれば、印字器３３の上下動操作による第一桁の見出し輪４０の一数字ずつの切替え操作を行わない場合には、カウントアップ機構３２を側板２に対して回動退避させて、選択摘み１７による第一桁の見出し輪４０の通常の選択操作の形態に簡単に移行することができる。
【符号の説明】
【００６０】
１  携帯式ラベル印字貼付け機（従来、図９）
２  側板
３  グリップ
４  操作レバー
５  圧縮スプリング
６  ラベル連続体
７  用紙ホルダー
８  印字器
９  インキローラー
１０  貼付けローラー
１１  台紙
１２  ラベル片
１３  活字輪１６の活字
１４  印字器フレーム（図１０）
１４Ａ  印字器フレーム１４のフレーム内壁面（図３、図５）
１５  見出し輪
１６  活字輪
１７  選択摘み
１８  選択窓
１９  見出し輪１５、見出し輪４０、４０Ａの見出し数字
１９Ａ  見出し数字１９の数字形成凸部（図１、図３、図４）
１９Ｂ  見出し数字１９の係合凹部（図１、図３、図４）
２０  中心軸孔
２１  選択軸
２２  選択突起
３０  携帯式ラベル印字貼付け機（図１）
３１  携帯式ラベル印字貼付け機３０の印字器見出し数字カウントアップ装置（実施例、図１、図２）
３２  カウントアップ機構
３３  印字器（図３）
３４  支持部材（図２）
３５  係合突起
３６  突起付勢部材
３７  突起回動軸
３８  停止片
３９  桁上げ下げ用突出台部（図３）
４０  第一桁（一の位）の見出し輪（図１、図４）
４０Ａ  第二桁（十の位）の見出し輪（図７）
４１  連回り連結機構
４２  第二桁（十の位）の見出し輪４０Ａの側面に形成した周方向連結凹部
４３  貫通軸室
４４  第１の往復動軸
４５  第２の往復動軸
４６  第１の付勢部材
４７  第２の付勢部材
４８  第１の往復動軸４４の当接端面部材
４９  第１の往復動軸４４の第１の軸部
５０  第１の往復動軸４４の第１の軸係合部
５１  第２の往復動軸４５の連結端面部材
５２  第２の往復動軸４５の第２の軸部
５３  第２の往復動軸４５の第２の軸係合部
５４  第２の往復動軸４５の係合フランジ
５５  軸停止用突条
Ｌ    稼働軌跡（図１）
【図１】
0005927715.tif 000002
【図２】
0005927715.tif 000003
【図３】
0005927715.tif 000004
【図４】
0005927715.tif 000005
【図５】
0005927715.tif 000006
【図６】
0005927715.tif 000007
【図７】
0005927715.tif 000008
【図８】
0005927715.tif 000009
【図９】
0005927715.tif 000010
【図１０】
0005927715.tif 000011
【図１１】
0005927715.tif 000012